(57)【特許請求の範囲】
【請求項１】
複数の分割コア部を環状に配置して形成されるステータコアを備えるステータを組み込む回転電機であって、
前記ステータを構成する前記複数の分割コア部のそれぞれは、分割鉄心と、
前記分割鉄心の一部を囲繞するインシュレータと、
前記インシュレータを介して前記分割鉄心に巻回されるコイルと、を有し、
前記インシュレータのうち、前記ステータコアの半径方向外側の外端面には、前記ステータコアの周方向に沿って延び、且つ、前記コイルの端末部が引き回される収納溝が形成され、
前記収納溝を構成する溝側面のうち、前記ステータコアの半径方向外側の端部には、前記ステータコアの軸線方向に突出した第１ストッパ部が形成され、
前記第１ストッパ部が形成された前記溝側面と同じ溝側面のうち、前記ステータコアの半径方向外側の端部には、前記第１ストッパ部と離間して位置し、且つ、前記ステータコアの軸線方向に突出した第２ストッパ部が形成され、
前記コイルの端末部は、前記第１ストッパ部と前記第２ストッパ部の間を介して前記インシュレータの外方に配置可能である、
ことを特徴とする回転電機。
【請求項２】
請求項１記載の回転電機において、
前記溝側面を構成する側壁部は、平板状に形成されると共に、肉厚部と肉薄部とを有し、
前記肉薄部は、可撓性を有することを特徴とする回転電機。
【請求項３】
請求項１又は２記載の回転電機において、
前記分割鉄心は、複数の金属板が積層されて構成され、
前記複数の金属板には、該複数の金属板の積層方向に沿って貫通孔が形成され、
前記インシュレータには、前記貫通孔に対応する挿通孔が形成され、
前記貫通孔及び前記挿通孔に挿通し、前記分割鉄心と前記インシュレータとを外方から締め付ける締結部材を備えることを特徴とする回転電機。
【請求項４】
請求項１〜３のいずれか１項に記載の回転電機において、
前記ステータを構成する前記複数の分割コア部のコイルは、Ｕ相、Ｖ相、Ｗ相の３相に分類されており、
前記収納溝は、中性点を形成するコイルの端末部が引き回される第１収納溝と、
Ｕ相のコイルの端末部が引き回される第２収納溝と、
Ｖ相のコイルの端末部が引き回される第３収納溝と、
Ｗ相のコイルの端末部が引き回される第４収納溝と、を含み、
前記第１〜第４収納溝は、前記ステータコアの軸線方向に配列されていることを特徴とする回転電機。
【請求項５】
請求項４記載の回転電機において、
前記ステータを構成する前記インシュレータは、前記コイルが設けられる巻回部と、
前記巻回部よりも前記ステータコアの半径方向外側に位置し、且つ、前記収納溝が形成される配線部と、を有し、
前記配線部のうち前記巻回部側の端部には、前記巻回部に接続すると共に前記コイルの端末部が配置可能な側溝が形成されていることを特徴とする回転電機。
【発明の詳細な説明】
【技術分野】
【０００１】
本発明は、複数の分割コア部を環状に配置して形成されるステータコアを備えた回転電機に関する。
【背景技術】
【０００２】
従来から、分割鉄心と、前記分割鉄心の一部を囲繞するインシュレータと、前記インシュレータを介して前記分割鉄心を巻回するコイルとを有する分割コア部を環状に複数配置して形成される回転電機用ステータにおいて、各分割コア部のコイルの端末部を入力端子に接続された環状導線（バスリング）に接続する回転電機、例えば、モータが広汎に採用されている。
【０００３】
このような回転電機用ステータにおいては、相数に応じた数のバスリングが用意され、同一相のコイルの端末部がターミナルを介して１つのバスリングに電気的に接続される。そのため、前記コイルの端末部の結線処理に必要な部品が多く、回転電機の製造コストが増大すると共に、該結線処理の作業が煩雑であるため生産性の低下を招くことが懸念されていた。
【０００４】
このような問題に対応したものとして、ロータの周りに複数の分割コア部を環状に配置すると共に、前記分割コア部のコイルが設けられるインシュレータのうち、前記ロータの半径方向外側の外端面に形成されて該ロータの周方向に延びた断面コ字状の収納溝に該コイルの端末（端末部）を引き回し、電源線（入力端子）に直接的に接続する技術的思想が提案されている（特許文献１参照）。
【０００５】
この特許文献１では、前記収納溝の溝底面を構成する外壁部に対して、該溝底面に連なり前記ロータの半径方向内側に半円状に湾曲する湾曲面を形成し、前記湾曲面との間に所定の隙間が形成されるように円柱状の突起構造物を設け、前記収納溝に引き回される前記コイルの端末部を該隙間に通すことにより、ローレンツ力によって該端末部が外側に飛び出すことを抑える構造が記載されている。
【先行技術文献】
【特許文献】
【０００６】
【特許文献１】特開２００９−１８３０７１号公報
【発明の概要】
【発明が解決しようとする課題】
【０００７】
上述した特許文献１に開示されている発明では、コイルの端末部を収納溝に引き回す際に、該端末部を外壁部の湾曲面に沿って曲げながら該湾曲面と突起構造物との間の隙間に通す必要があるため、前記端末部を引き回す作業が煩雑になる。
【０００８】
本発明は、このような課題を考慮してなされたものであり、コイルの端末部の収納溝への引き回し作業を簡素化すると共に、該端末部が該収納溝から離脱することを抑え、これによって生産効率を向上させることが可能なステータを備えた回転電機を提供することを目的とする。
【課題を解決するための手段】
【０００９】
本発明に係る回転電機は、複数の分割コア部を環状に配置して形成されるステータコアを備えるステータを組み込む回転電機であって、前記ステータを構成する前記複数の分割コア部のそれぞれは、分割鉄心と、前記分割鉄心の一部を囲繞するインシュレータと、前記インシュレータを介して前記分割鉄心に巻回されるコイルと、を有し、前記インシュレータのうち、前記ステータコアの半径方向外側の外端面には、前記ステータコアの周方向に沿って延び、且つ、前記コイルの端末部が引き回される収納溝が形成され、前記収納溝を構成する溝側面のうち、前記ステータコアの半径方向外側の端部には、前記ステータコアの軸線方向に突出した第１ストッパ部が形成され、前記第１ストッパ部が形成された前記溝側面と同じ溝側面のうち、前記ステータコアの半径方向外側の端部には、前記第１ストッパ部と離間して位置し、且つ、前記ステータコアの軸線方向に突出した第２ストッパ部が形成され、前記コイルの端末部は、前記第１ストッパ部と前記第２ストッパ部の間を介して前記インシュレータの外方に配置可能であることを特徴とする。
【００１０】
本発明に係る回転電機によれば、収納溝の溝側面に第１ストッパ部を形成しているので、例えば、ステータコアの半径方向外側に向かうローレンツ力がコイルの端末部に作用した場合であっても、該端末部が該収納溝から離脱することを抑えることができる。また、前記コイルの端末部を前記収納溝に引き回す際に、該端末部の一部を半円状に曲げる必要がないため、該端末部の引き回し作業が簡素化する。これによって、ステータ自体は勿論のこと、回転電機全体としての生産効率が向上する効果も得られる。また、第１ストッパ部と第２ストッパ部とが収納溝の同じ溝側面に互いに離間して位置しているので、複数の分割コア部を環状に配置する際に、コイルの端末部を第１ストッパ部と第２ストッパ部との間を介してインシュレータの外方に配置させることができる。これにより、当該端末部が隣り合う分割コア部と干渉することを防止することができる。
【００１１】
上記の回転電機において、前記溝側面を構成する側壁部が、平板状に形成されると共に、肉厚部と肉薄部とを有し、前記肉薄部は、可撓性を有していてもよい。
【００１２】
このような構成によれば、ステータコアの軸線方向に肉薄部を弾性変形させて、インシュレータの外端面に開口する収納溝の開口部の面積を拡大することができる。よって、コイルの端末部を収納溝に引き回す際に、該端末部と第１ストッパ部とが干渉することを抑えることができる。
【００１３】
上記の回転電機において、前記分割鉄心が、複数の金属板が積層されて構成され、前記複数の金属板には、該複数の金属板の積層方向に沿って貫通孔が形成され、前記インシュレータには、前記貫通孔に対応する挿通孔が形成され、前記貫通孔及び前記挿通孔に挿通し、且つ、前記分割鉄心と前記インシュレータとを外方から締め付ける締結部材を備えていてもよい。
【００１４】
このような構成によれば、貫通孔と挿通孔とに締結部材を挿通して分割鉄心とインシュレータとを外方から締め付けるので、前記複数の金属板同士の固定と前記分割鉄心及び前記インシュレータの固定とを同時に行うことができる。また、前記締結部材を利用して、例えば、ミッションケース等に分割コア部を直接固定させることも可能となるので、分割コア部を保持するホルダ等の部材を省略することができる。これにより、回転電機の部材コストを削減することができると共に、省スペース化を図ることが可能となる。
【００１７】
上記の回転電機において、前記ステータを構成する前記複数の分割コア部のコイルが、Ｕ相、Ｖ相、Ｗ相の３相に分類されており、前記収納溝が、中性点を形成するコイルの端末部が引き回される第１収納溝と、Ｕ相のコイルの端末部が引き回される第２収納溝と、Ｖ相のコイルの端末部が引き回される第３収納溝と、Ｗ相のコイルの端末部が引き回される第４収納溝と、を含み、前記第１〜第４収納溝が、前記ステータコアの軸線方向に配列されていてもよい。
【００１８】
このような構成によれば、異なる相のコイルの端末部を異なる収納溝にそれぞれ引き回すので、コイルの端末部の絶縁処理を省略することができる。
【００１９】
上記の回転電機において、前記ステータを構成する前記インシュレータが、前記コイルが設けられる巻回部と、前記巻回部よりも前記ステータコアの半径方向外側に位置し、且つ、前記収納溝が形成される配線部と、を有し、前記配線部のうち前記巻回部側の端部には、前記巻回部に接続すると共に前記コイルの端末部が配置可能な側溝が形成されていてもよい。
【００２０】
このような構成によれば、コイルの片方の端末部を側溝に配置させた状態で、該巻回部にコイル素線を巻回することができる。これにより、前記コイル素線の巻回作業中に、前記コイルの端末部が邪魔になることを防止することができる。また、前記巻回作業の終了時に、前記コイルの両方の端末部を前記巻回部よりもステータコアの半径方向外側に位置させることができるので、該両方の端末部を前記収納溝に容易に導くことができる。
【発明の効果】
【００２１】
本発明によれば、ステータを構成するステータコアの収納溝の溝側面に第１ストッパ部を設けているので、該端末部が該収納溝から離脱することを抑えることができる。また、コイルの端末部を前記収納溝に引き回す際に、該端末部の一部を半円状に曲げる必要がないため、コイルの端末部の引き回しの作業が簡素化する。これによって、ステータ自体は勿論のこと、回転電機全体としての生産効率が向上する効果も得られる。
【図面の簡単な説明】
【００２２】
【図１】本発明の実施形態に係るステータの平面図である。
【図２】図１のステータを形成する分割コア部の斜視図である。
【図３】図２の分割コア部の分解斜視図において、コイル、中性点用端末部、及び、入力用端末部を省略した分解斜視図である。
【図４】図３に示す第１配線部とその周囲を示す拡大斜視図である。
【図５】図４のＶ−Ｖ線に沿った断面図である。
【図６】図３に示す第２配線部とその周囲を示す拡大斜視図である。
【図７】図６のＶＩＩ−ＶＩＩ線に沿った断面図である。
【図８】巻回部にコイル素線を巻回している状態を示す平面図である。
【図９】中性点用端末部を第１配線部と第２配線部の間の隙間を介して第１配線部の第１収納溝に導くと共に、Ｕ相のコイルの入力用端末部を前記隙間を介して第１配線部の第２収納溝に導いた状態を示す平面図である。
【図１０】図９に示す分割コア部の斜視図である。
【図１１】ハウジングの内周面に沿って複数の分割コア部を環状に配置した状態の一部省略平面図である。
【図１２】Ｖ６相のコイルを有する分割コア部の第２配線部の断面図である。
【発明を実施するための形態】
【００２３】
以下、本発明に係る回転電機についてそれに組み込まれるステータとの関係で好適な実施形態を例示し、添付の図面を参照しながら詳細に説明する。
【００２４】
先ず、本実施形態に係る回転電機用ステータ（以下、単にステータ１０と称する。）は、その内部に設けられるロータと組み合わされて回転電機を構成し、例えば、電動機又は発電機として用いられる。
【００２５】
ステータ１０は、所謂、３相Ｙ型結線のステータであり、図１に示すように、中空状のホルダ（ハウジング）１２と、ホルダ１２に設けられた３相の入力端子Ｕ、Ｖ、Ｗと、中性点を形成する中性端子Ｎと、ホルダ１２の内周面１２ａに沿って複数（図１では１８個）の分割コア部１４を環状に配置して形成されるステータコア１６とを備えている。
【００２６】
ステータコア１６は、Ｕ相、Ｖ相、Ｗ相のコイル１８をそれぞれ有する分割コア部１４を６つずつ含む。また、図１から諒解されるように、ステータコア１６は、Ｕ相、Ｖ相、及び、Ｗ相のコイル１８が反時計回りにこの順番で６回繰り返し並ぶように複数の分割コア部１４を環状に配置して形成されている。
【００２７】
図１、図２、及び、図１１に示すように、Ｕ相のコイル１８を有する分割コア部１４は、該コイル１８を構成するコイル素線１８ａの一端部から延在して入力端子Ｕに電気的に接続する入力用端末部２０Ｕを、Ｖ相のコイル１８を有する分割コア部１４は、該コイル１８を構成するコイル素線１８ａの一端部から延在して入力端子Ｖに電気的に接続する入力用端末部２０Ｖを、Ｗ相のコイル１８を有する分割コア部１４は、該コイル１８を構成するコイル素線１８ａの一端部から延在して入力端子Ｗに電気的に接続する入力用端末部２０Ｗをそれぞれ含む。なお、図２は、Ｕ相のコイル１８を有する分割コア部１４を示している。
【００２８】
以下の説明では、入力用端末部２０Ｕ、２０Ｖ、２０Ｗにおいて、Ｕ相、Ｖ相、Ｗ相を区別しない場合には、参照符号「Ｕ」、「Ｖ」、「Ｗ」を省略することがある。
【００２９】
図２及び図３に示すように、各分割コア部１４は、プレスにより打ち抜いた略Ｔ字状の金属板（鋼板）２２を複数枚積層して構成される分割鉄心２４と、分割鉄心２４を絶縁するインシュレータ２６と、分割鉄心２４とインシュレータ２６とを固定するためのボルト（締結部材）２８と、インシュレータ２６を介して分割鉄心２４に巻回されるコイル１８のコイル素線１８ａの他端部から延在して中性端子Ｎに電気的に接続される中性点用端末部３０とを有している。
【００３０】
中性点用端末部３０とコイル素線１８ａ、及び、入力用端末部２０とコイル素線１８ａのそれぞれは、連続して構成されている。つまり、中性点用端末部３０、コイル素線１８ａ、及び、入力用端末部２０は、連続した１本の導線となっている。そして、前記導線は、断面長方形状に形成されている。なお、該導線は、断面長方形状に形成されたものに限定されず、例えば、断面円形状や断面正方形状に形成されていてもよい。
【００３１】
分割鉄心２４は、略Ｔ字状であり、「Ｔ」字の上辺に相当するヨーク部２４ａと、「Ｔ」字の下辺延出部に相当する磁極部２４ｂとを含んでいる。
【００３２】
ヨーク部２４ａの一端には、略半円状の嵌合凹部３２が形成され、ヨーク部２４ａの他端には、嵌合凹部３２に対応した略半円状の嵌合凸部３４が形成されている。また、ヨーク部２４ａの略中央には、複数の金属板２２の積層方向（ステータコア１６の軸線方向、矢印Ａ方向）に沿って貫通孔３６が形成されている。
【００３３】
インシュレータ２６は、可撓性を有しており、例えば、樹脂等で構成されている。また、インシュレータ２６は、コイル素線１８ａが巻回される巻回部３８と、巻回部３８よりもステータコア１６の半径方向外側（矢印Ｂ１方向）に位置する配線部４０とを有している。
【００３４】
巻回部３８は、上側巻回部３８ａと下側巻回部３８ｂとを含み、前記上側巻回部３８ａには、断面略コ字状に形成された上側巻回部本体４２ａと、前記上側巻回部本体４２ａのうちステータコア１６の半径方向内側（矢印Ｂ２方向）の端部に立設された上側内周壁４４ａと、前記上側巻回部本体４２ａのうち矢印Ａ方向に沿って延在している部位の矢印Ｂ１方向の端部に立設されて前記上側内周壁４４ａと対向する上側外周壁４６ａとが設けられている。
【００３５】
一方、下側巻回部３８ｂには、断面略コ字状に形成された下側巻回部本体４２ｂと、前記下側巻回部本体４２ｂのうち矢印Ｂ２方向の端部に立設された下側内周壁４４ｂと、前記下側巻回部本体４２ｂのうち矢印Ｂ１方向の端部に立設されて前記下側内周壁４４ｂと対向する下側外周壁４６ｂとが設けられている。
【００３６】
上側巻回部本体４２ａと下側巻回部本体４２ｂ、上側内周壁４４ａと下側内周壁４４ｂ、上側外周壁４６ａと下側外周壁４６ｂは、それぞれ一部が重なり合って結合する。すなわち、上側巻回部３８ａの下方から下側巻回部３８ｂが挿入され、上側巻回部３８ａと下側巻回部３８ｂとが一体化されて巻回部３８が構成される。このように一体化された結果得られる中央部の孔４８には、分割鉄心２４の磁極部２４ｂが装入される。
【００３７】
配線部４０は、上側外周壁４６ａの上端部近傍から矢印Ｂ１方向に延びた支持板５０と、前記支持板５０の上面に設けられた第１及び第２配線部５２、５４とを有している。
【００３８】
第１及び第２配線部５２、５４は、ステータコア１６の周方向（矢印Ｃ方向）に互いに離間して配置されている。第１配線部５２と第２配線部５４との間の隙間５６は、中性点用端末部３０及び入力用端末部２０が挿通可能な程度に設定されている。
【００３９】
図４に示すように、第１配線部５２は、上面視で略四角形状（略台形状：図８参照）の第１基部５８と、支持板５０の上面に配置されると共に前記第１基部５８の下面に接続する上面視で略四角形状（略台形状）の第２基部６０とを有する。
【００４０】
第１基部５８は、該第１基部５８の矢印Ｂ１方向の端部に形成されて矢印Ｃ方向に沿って延在する第１外端面５８ａ（図８参照）と、該第１外端面５８ａに連なると共に上側巻回部本体４２ａに向けて緩やかに湾曲する第１湾曲面５８ｂと、該第１湾曲面５８ｂに連なると共に第２配線部５４に対向する第１案内面５８ｃと、該第１案内面５８ｃに連なると共に第１基部５８の矢印Ｂ２方向の端部に形成された第１内端面５８ｄと、該第１外端面５８ａと前記第１内端面５８ｄとを接続する第１接続面５８ｅとを含む。
【００４１】
なお、第１基部５８は、第２配線部５４が位置する側とは反対側（矢印Ｃ１方向）に向かうに従ってステータコア１６の半径方向（矢印Ｂ方向）の幅が狭くなるように構成されている。つまり、第１内端面５８ｄは、第１外端面５８ａと平行ではなく、第１接続面５８ｅ側に向かうに従って矢印Ｃ１方向に沿って徐々に幅狭となっている。
【００４２】
第２基部６０は、第１基部５８を一回り大きくしたような形状に構成されており、該第２基部６０の矢印Ｂ１方向の端部に形成されて矢印Ｃ方向に沿って延在する第２外端面６０ａと、該第２外端面６０ａに連なると共に上側巻回部本体４２ａに向けて緩やかに湾曲する第２湾曲面６０ｂと、該第２湾曲面６０ｂに連なると共に第２配線部５４に対向する第２案内面６０ｃと、該第２案内面６０ｃに連なり第２基部６０の矢印Ｂ２方向の端部に形成された第２内端面６０ｄと、該第２外端面６０ａと第２内端面６０ｄとを接続する第２接続面６０ｅとを含む。
【００４３】
図４及び図５に示すように、第１案内面５８ｃと第２案内面６０ｃ、第１内端面５８ｄと第２内端面６０ｄ、第１接続面５８ｅと第２接続面６０ｅは、それぞれが一体に接続して１つの平坦面を形成している。また、第２基部６０は、第１基部５８よりも矢印Ｂ１方向に突出すると共に、矢印Ａ方向に大きく形成されている。
【００４４】
第１基部５８、第２基部６０、及び、支持板５０には、矢印Ａ方向に延びて分割鉄心２４の貫通孔３６に対応する挿通孔６２が形成されている。なお、挿通孔６２は、第１基部５８の上面のうち第１湾曲面５８ｂに近接する位置に開口している。
【００４５】
インシュレータ２６と分割鉄心２４は、インシュレータ２６の孔４８に分割鉄心２４の磁極部２４ｂを装入した状態で、上方からボルト２８を挿通孔６２を介して貫通孔３６に通し、例えば、ホルダ１２に締め付けることにより固定される。これにより、複数の金属板２２同士の固定と、インシュレータ２６と分割鉄心２４の固定とを同時に行うことができる。
【００４６】
なお、ボルト２８の締め付け箇所は、ホルダ１２に限られない。例えば、ボルト２８を図示しないミッションケース等に直接締め付けてもよい。この場合、ホルダ１２を省略することができるので、回転電機の部材コストを削減することができると共に、省スペース化を図ることが可能となる。
【００４７】
第１配線部５２は、第１基部５８の第１外端面５８ａの上端部から矢印Ｂ１方向に延びた第１延在板６４と、第２基部６０の第２外端面６０ａから矢印Ｂ１方向に延びて前記第１延在板６４に平行な第２〜第５延在板６６、６８、７０、７２と、第２基部６０の第２内端面６０ｄの下端部から矢印Ｂ２方向に突出する突出部７４とをさらに有している。
【００４８】
第１延在板６４は、第２基部６０よりも矢印Ｂ１方向に張り出している。第１延在板６４の下面のうち矢印Ｂ１方向の端部には、下方に突出すると共に略直方体状に形成された第１下ストッパ部７６ａと、該第１下ストッパ部７６ａよりも第２配線部５４側（矢印Ｃ２方向）に離間して位置し、且つ、下方に突出する第２下ストッパ部７８ａとが形成されている。
【００４９】
第１下ストッパ部７６ａは、第１延在板６４の矢印Ｃ１方向の端部から矢印Ｃ２方向に向かって延びている。なお、第１下ストッパ部７６ａの矢印Ｃ１方向の端部は、第１延在板６４の形状に合わせてやや丸みを帯びている。第１下ストッパ部７６ａは、矢印Ｃ方向の長さが第１延在板６４の矢印Ｃ方向の長さの半分程度に設定されている。また、第１下ストッパ部７６ａは、矢印Ｂ方向の長さ（幅）が第１延在板６４の板厚よりも広く、矢印Ａ方向の長さ（高さ）が第１延在板６４の板厚よりも低く設定されている。
【００５０】
第２下ストッパ部７８ａは、上面視で四角形状（図８参照）に形成されると共に、矢印Ｃ方向において第１延在板６４の中央よりもやや矢印Ｃ２方向寄りに位置している。
【００５１】
また、第２下ストッパ部７８ａは、長さが第１下ストッパ部７６ａの長さよりも短く、幅及び高さが第１下ストッパ部７６ａの幅及び高さと略同一に設定されている。なお、第１下ストッパ部７６ａと第２下ストッパ部７８ａの離間間隔は、中性点用端末部３０の厚みｄ１よりも大きく設定されている（図２参照）。
【００５２】
第１延在板６４の下面には、矢印Ｃ方向に沿って第１延在板６４を横切るようにして第１溝部８０ａが形成されている。なお、第１溝部８０ａは、第１下ストッパ部７６ａと第２下ストッパ部７８ａに隣接している。第１溝部８０ａは、断面コ字状に形成されており、溝深さ（矢印Ａ方向の長さ）が第１下ストッパ部７６ａの高さと略同一に、溝幅（矢印Ｂ方向の長さ）が第１下ストッパ部７６ａの幅よりも狭く設定されている。
【００５３】
第２延在板６６は、第２基部６０の上端部に接続されている。その結果、第２延在板６６の上面と第２基部６０の上面とが一体となって平坦面が形成される。
【００５４】
第２延在板６６の上面のうち矢印Ｂ１方向の端部には、上方に突出すると共に略直方体状に形成された第１上ストッパ部８２ａと、該第１上ストッパ部８２ａよりも矢印Ｃ２方向に離間して位置し、且つ、上方に突出する第２上ストッパ部８４ａとが形成されている。
【００５５】
第１上ストッパ部８２ａは、第１下ストッパ部７６ａを上下反転させた形状を有しており、第１下ストッパ部７６ａと対向して配置される。つまり、第１上ストッパ部８２ａは、その長さ、幅、高さが第１下ストッパ部７６ａの長さ、幅、高さと同一に設定されている。
【００５６】
第２上ストッパ部８４ａは、第２下ストッパ部７８ａを上下反転させた形状を有しており、該第２下ストッパ部７８ａと対向して配置される。つまり、第２上ストッパ部８４ａは、その長さ、幅、高さが第２下ストッパ部７８ａの長さ、幅、高さと同一に設定されている。
【００５７】
第１延在板６４の下面と第２基部６０の上面は、第１基部５８の第１外端面５８ａで終端する。その結果、第１延在板６４の下面、第２延在板６６の上面、第２基部６０の上面、及び、第１外端面５８ａによって、第１収納溝８６ａが形成される。そして、この第１収納溝８６ａには、中性点用端末部３０が収納されることとなる。
【００５８】
第１収納溝８６ａの溝幅（第１延在板６４の下面のうち第１溝部８０ａよりも矢印Ｂ２方向に位置する部位と第２基部６０の上面との間隔）Ｌ１は、中性点用端末部３０の横幅ｄ２よりも広く設定されている。第１収納溝８６ａの溝深さ（第１下ストッパ部７６ａの矢印Ｂ２方向の端面から第１外端面５８ａまでの距離）Ｌ２は、中性点用端末部３０が矢印Ｃ方向に沿って９個配置可能な程度の大きさに設定されている。
【００５９】
なお、第１下ストッパ部７６ａと第１上ストッパ部８２ａとの間隔Ｌ３は、中性点用端末部３０の横幅ｄ２よりも狭く設定されている。また、第２下ストッパ部７８ａと第２上ストッパ部８４ａとの間隔は、前記間隔Ｌ３と略同一に設定されている。
【００６０】
第２延在板６６の下面のうち矢印Ｂ１方向の端部には、第２延在板６６の第１上ストッパ部８２ａの反対側（裏側又は下側）に位置し、且つ、第１下ストッパ部７６ａと同一の形状に構成された第１下ストッパ部７６ｂと、該第１下ストッパ部７６ｂよりも矢印Ｃ２方向に離間して位置し、且つ、第２下ストッパ部７８ａと同一の形状に構成された第２下ストッパ部７８ｂとが形成されている。
【００６１】
第１下ストッパ部７６ｂと第２下ストッパ部７８ｂとの離間間隔は、第１上ストッパ部８２ａと第２上ストッパ部８４ａとの離間間隔の約２倍に設定されている。なお、第２下ストッパ部７８ｂは、第２延在板６６の矢印Ｃ２方向の端部近傍に位置している。
【００６２】
第２延在板６６の下面には、矢印Ｃ方向に沿って第２延在板６６を横切るようにして第２溝部８０ｂが形成されている。なお、第２溝部８０ｂは、第１下ストッパ部７６ｂと第２下ストッパ部７８ｂとに隣接している。第２溝部８０ｂは、第１溝部８０ａと同一の形状を有している。
【００６３】
第３延在板６８は、第２延在板６６よりも下方に所定距離だけ離間して配置されている。該所定距離は、入力用端末部２０Ｕの横幅ｄ２よりも大きく設定される。
【００６４】
第３延在板６８の上面のうち矢印Ｂ１方向の端部には、第１下ストッパ部７６ｂと対向し、且つ、第１上ストッパ部８２ａと同一の形状に構成された第１上ストッパ部８２ｂと、該第１上ストッパ部８２ｂよりも矢印Ｃ２方向に離間して位置すると共に第２下ストッパ部７８ｂと対向して配置され、且つ、第２上ストッパ部８４ａと同一の形状に構成された第２上ストッパ部８４ｂとが形成されている。
【００６５】
第２延在板６６の下面と第３延在板６８の上面は、第２基部６０の第２外端面６０ａで終端する。その結果、第２延在板６６の下面、第３延在板６８の上面、及び、第２外端面６０ａによって、第２収納溝８６ｂが形成される。そして、この第２収納溝８６ｂには、入力用端末部２０Ｕが収納されることとなる。
【００６６】
第２収納溝８６ｂの溝幅（第２延在板６６の下面のうち第２溝部８０ｂよりも矢印Ｂ２方向に位置する部位と第３延在板６８の上面との間隔）は、第１収納溝８６ａの溝幅Ｌ１と同一に設定されている。第２収納溝８６ｂの溝深さ（第１下ストッパ部７６ｂの矢印Ｂ２方向の端面から第２外端面６０ａまでの距離）Ｌ４は、入力用端末部２０Ｕが矢印Ｃ方向に沿って３個配置可能な程度の大きさに設定されている。
【００６７】
なお、第１下ストッパ部７６ｂと第１上ストッパ部８２ｂとの間隔、及び、第２下ストッパ部７８ｂと第２上ストッパ部８４ｂとの間隔は、前記間隔Ｌ３と略同一に設定されている。
【００６８】
第３延在板６８の下面のうち矢印Ｂ１方向の端部には、第１上ストッパ部８２ｂの反対側に位置し、且つ、第１下ストッパ部７６ａと同一の形状に構成された第１下ストッパ部７６ｃと、該第１下ストッパ部７６ｃよりも矢印Ｃ２方向に離間して位置すると共に第２上ストッパ部８４ｂの反対側に位置し、且つ、第２下ストッパ部７８ａと同一の形状に構成された第２下ストッパ部７８ｃとが形成されている。
【００６９】
第３延在板６８の下面には、矢印Ｃ方向に沿って第３延在板６８を横切るようにして第３溝部８０ｃが形成されている。なお、第３溝部８０ｃは、第１下ストッパ部７６ｃと第２下ストッパ部７８ｃとに隣接している。第３溝部８０ｃは、第１溝部８０ａと同一の形状を有している。
【００７０】
第４延在板７０は、第３延在板６８よりも下方に所定距離だけ離間して位置している。該所定距離は、第２延在板６６と第３延在板６８との離間間隔と同一の距離に設定されている。
【００７１】
第４延在板７０の上面のうち矢印Ｂ１方向の端部には、第１下ストッパ部７６ｃと対向し、且つ、第１上ストッパ部８２ａと同一の形状に構成された第１上ストッパ部８２ｃと、該第１上ストッパ部８２ｃよりも矢印Ｃ２方向に離間して位置すると共に第２下ストッパ部７８ｃと対向して配置され、且つ、第２上ストッパ部８４ａと同一の形状に構成された第２上ストッパ部８４ｃとが形成されている。
【００７２】
第３延在板６８の下面と第４延在板７０の上面は、第２基部６０の第２外端面６０ａで終端する。その結果、第３延在板６８の下面、第４延在板７０の上面、及び、第２外端面６０ａによって、第３収納溝８６ｃが形成される。そして、この第３収納溝８６ｃには、入力用端末部２０Ｖが収納されることとなる。
【００７３】
第３収納溝８６ｃの溝幅（第３延在板６８の下面のうち第３溝部８０ｃよりも矢印Ｂ２方向に位置する部位と第４延在板７０の上面との間隔）は、第１収納溝８６ａの溝幅Ｌ１と同一に設定されている。第３収納溝８６ｃの溝深さ（第１下ストッパ部７６ｃの矢印Ｂ２方向の端面から第２外端面６０ａまでの距離）は、第２収納溝８６ｂの溝深さＬ４と同一に設定されている。なお、第１下ストッパ部７６ｃと第１上ストッパ部８２ｃとの間隔、及び、第２下ストッパ部７８ｃと第２上ストッパ部８４ｃとの間隔は、前記間隔Ｌ３と略同一に設定されている。
【００７４】
第４延在板７０の下面のうち矢印Ｂ１方向の端部には、第１上ストッパ部８２ｃの反対側に位置し、且つ、第１下ストッパ部７６ａと同一の形状に構成された第１下ストッパ部７６ｄと、該第１下ストッパ部７６ｄよりも矢印Ｃ２方向に離間して位置すると共に第２上ストッパ部８４ｃの反対側に位置し、且つ、第２下ストッパ部７８ａと同一の形状に構成された第２下ストッパ部７８ｄとが形成されている。
【００７５】
第４延在板７０の下面には、矢印Ｃ方向に沿って第４延在板７０を横切るようにして第４溝部８０ｄが形成されている。なお、第４溝部８０ｄは、第１下ストッパ部７６ｄと第２下ストッパ部７８ｄとに隣接している。第４溝部８０ｄは、第１溝部８０ａと同一の形状を有している。
【００７６】
第５延在板７２は、第２基部６０の下端部に接続されている。なお、第４延在板７０と第５延在板７２との離間間隔は、第３延在板６８と第４延在板７０との離間間隔と同一に設定されている。
【００７７】
第５延在板７２の上面のうち矢印Ｂ１方向の端部には、第１下ストッパ部７６ｄと対向し、且つ、第１上ストッパ部８２ａと同一の形状に構成された第１上ストッパ部８２ｄと、該第１上ストッパ部８２ｄよりも矢印Ｃ２方向に離間して位置すると共に第２下ストッパ部７８ｄに対向して配置され、且つ、第２上ストッパ部８４ａと同一の形状に構成された第２上ストッパ部８４ｄとが形成されている。
【００７８】
第４延在板７０の下面と第５延在板７２の上面は、第２基部６０の第２外端面６０ａで終端する。その結果、第４延在板７０の下面、第５延在板７２の上面、及び、第２外端面６０ａによって、第４収納溝８６ｄが形成される。そして、この第４収納溝８６ｄには、入力用端末部２０Ｗが収納されることとなる。
【００７９】
第４収納溝８６ｄの溝幅（第４延在板７０の下面のうち第４溝部８０ｄよりも矢印Ｂ２方向に位置する部位と第５延在板７２の上面との間隔）は、第１収納溝８６ａの溝幅Ｌ１と同一に設定されている。第４収納溝８６ｄの溝深さ（第１下ストッパ部７６ｄの矢印Ｂ２方向の端面から第２外端面６０ａまでの距離）は、第２収納溝８６ｂの溝深さＬ４と同一に設定されている。なお、第１下ストッパ部７６ｄと第１上ストッパ部８２ｄとの間隔、及び、第２下ストッパ部７８ｄと第２上ストッパ部８４ｄとの間隔は、前記間隔Ｌ３と略同一に設定されている。
【００８０】
突出部７４は、第２内端面６０ｄの下端部から矢印Ｂ２方向に沿って延びる底部８８と、前記底部８８の矢印Ｂ２方向の端部に立設された側部９０とを有している（図９参照）。底部８８の上端面８８ａは、側部９０に向かうに従って矢印Ｂ方向に対して下方に徐々に傾斜している。
【００８１】
また、側部９０は、底部８８の矢印Ｃ１方向の端部から底部８８の中途の位置まで延びると共に、矢印Ｃ２方向に向かって先細り形状となっている。つまり、底部８８の上端面８８ａは、上側巻回部本体４２ａの上面に対して滑らかに接続されることとなる。
【００８２】
第２内端面６０ｄ及び側部９０の内側面（矢印Ｂ１方向の側面）９０ａは、底部８８の上端面８８ａで終端する。その結果、第２内端面６０ｄ、上端面８８ａ、及び、内側面９０ａによって、側溝９２が形成される。なお、側溝９２の溝幅は、中性点用端末部３０の横幅ｄ２よりも大きく設定されている。
【００８３】
図６〜図８に示すように、第２配線部５４は、上面視で略四角形状の第１基部９４と、支持板５０の上面に配置されると共に前記第１基部９４の下面に接続する上面視で略四角形状の第２基部９６とを有する。
【００８４】
矢印Ａ方向において、第１基部９４の高さは第１基部５８の高さに、第２基部９６の高さは第２基部６０の高さにそれぞれ対応している（図３参照）。
【００８５】
第１基部９４は、該第１基部９４の端部に形成されて矢印Ｃ方向に沿って延在する第１外端面９４ａと、該第１外端面９４ａに連なると共に第１配線部５２に対向する第１案内面９４ｂと、該第１案内面９４ｂに連なると共に第１基部９４の矢印Ｂ２方向の端部に形成された第１内端面９４ｃと、該第１外端面９４ａと該第１内端面９４ｃとを接続する第１接続面９４ｄとを含む。
【００８６】
第２基部９６は、第１基部９４を一回り大きくしたような形状に構成されており、該第２基部９６の端部に形成されて矢印Ｃ方向に沿って延在する第２外端面９６ａと、該第２外端面９６ａに連なると共に第１配線部５２に対向する第２案内面９６ｂと、該第２案内面９６ｂに連なり第２基部９６の矢印Ｂ２方向の端部に形成された第２内端面９６ｃと、該第２外端面９６ａと該第２内端面９６ｃとを接続する第２接続面９６ｄとを含む。
【００８７】
第１案内面９４ｂと第２案内面９６ｂ、第１内端面９４ｃと第２内端面９６ｃ、及び、第１接続面９４ｄと第２接続面９６ｄは、それぞれが一体に接続して平坦面を形成している。つまり、第２基部９６は、第１基部９４よりも矢印Ｂ１方向に突出すると共に、矢印Ａ方向に大きく形成されている。なお、第１及び第２案内面９４ｂ、９６ｂには、上述した分割鉄心２４のヨーク部２４ａの嵌合凹部３２と同一の形状の凹部９８が形成されている。
【００８８】
第２配線部５４は、第１基部９４の第１外端面９４ａの上端部から矢印Ｂ１方向に延びた第１延在板１００と、第２基部９６の第２外端面９６ａから矢印Ｂ１方向に延びて第１延在板１００に平行な第２〜第５延在板１０２、１０４、１０６、１０８とをさらに有している。
【００８９】
矢印Ａ方向において、第１延在板１００は第１延在板６４の位置に、第２延在板１０２は第２延在板６６の位置に、第３延在板１０４は第３延在板６８の位置に、第４延在板１０６は第４延在板７０の位置に、第５延在板１０８は第５延在板７２の位置に、それぞれ対応して形成されている。
【００９０】
第１延在板１００は、第２基部９６よりも矢印Ｂ１方向に張り出している。第１延在板１００の下面のうち矢印Ｂ１方向の端部には、下方に突出する第１下ストッパ部１１０ａと、該第１下ストッパ部１１０ａよりも矢印Ｃ２方向に離間して位置し、且つ、下方に突出する第２下ストッパ部１１２ａとが形成されている。
【００９１】
第１下ストッパ部１１０ａは、矢印Ｃ方向において第１延在板１００の中央よりもやや矢印Ｃ１方向寄りに位置しており、第２下ストッパ部１１２ａは、第１延在板１００の矢印Ｃ２方向の端部に位置している。なお、第１及び第２下ストッパ部１１０ａ、１１２ａは、第１配線部５２の第２下ストッパ部７８ａと同一の形状を有している。
【００９２】
第１下ストッパ部１１０ａと第２下ストッパ部１１２ａの離間間隔は、中性点用端末部３０の厚みｄ１よりも大きく設定されている（図２参照）。
【００９３】
また、第１延在板１００の下面には、矢印Ｃ方向に沿って第１延在板１００を横切るようにして第１溝部１１４ａが形成されている。なお、第１溝部１１４ａは、第１下ストッパ部１１０ａと第２下ストッパ部１１２ａに隣接している。第１溝部１１４ａは、第１配線部５２の第１溝部８０ａと同一の形状を有している。
【００９４】
第２延在板１０２は、第２基部９６の上端部に接続されている。その結果、第２延在板１０２の上面と第２基部９６の上面とが一体となって平坦面が形成される。
【００９５】
第２延在板１０２の上面のうち矢印Ｂ１方向の端部には、第１下ストッパ部１１０ａと対向し、且つ、第１配線部５２の第２上ストッパ部８４ａと同一の形状に構成された第１上ストッパ部１１６ａと、該第１上ストッパ部１１６ａよりも矢印Ｃ２方向に離間して位置すると共に第２下ストッパ部１１２ａと対向して配置され、且つ、第１上ストッパ部１１６ａと同一の形状に構成された第２上ストッパ部１１８ａとが形成されている。
【００９６】
第１延在板１００の下面と第２基部９６の上面は、第１基部９４の第１外端面９４ａで終端する。その結果、第１延在板１００の下面、第２延在板１０２の上面、第２基部９６の上面、及び、第１外端面９４ａによって、第１収納溝１２０ａが形成される。そして、この第１収納溝１２０ａには、中性点用端末部３０が収納されることとなる。
【００９７】
第１収納溝１２０ａの溝幅（第１延在板１００の下面のうち第１溝部１１４ａよりも矢印Ｂ２方向に位置する部位と第２基部９６の上面との間隔）Ｌ５は、第１配線部５２の第１収納溝８６ａの溝幅Ｌ１と同一に設定されている。第１収納溝１２０ａの溝深さ（第１下ストッパ部１１０ａの矢印Ｂ２方向の端面から第１外端面９４ａまでの距離）Ｌ６は、第１配線部５２の第１収納溝８６ａの溝深さＬ２と同一に設定されている。
【００９８】
なお、第１下ストッパ部１１０ａと第１上ストッパ部１１６ａとの間隔Ｌ７は、中性点用端末部３０の横幅ｄ２よりも狭く設定されている。また、第２下ストッパ部１１２ａ及び第２上ストッパ部１１８ａの間隔は、前記間隔Ｌ７と略同一に設定されている。
【００９９】
第２延在板１０２の下面のうち矢印Ｂ１方向の端部には、第２延在板１０２の第１上ストッパ部１１６ａの反対側に位置し、且つ、第１下ストッパ部１１０ａと同一の形状に構成された第１下ストッパ部１１０ｂと、該第１下ストッパ部１１０ｂよりも矢印Ｃ２方向に離間して位置すると共に第２上ストッパ部１１８ａの反対側に位置し、且つ、第２下ストッパ部１１２ａと同一の形状に構成された第２下ストッパ部１１２ｂとが形成されている。
【０１００】
第２延在板１０２の下面には、矢印Ｃ方向に沿って第２延在板１０２を横切るようにして第２溝部１１４ｂが形成されている。なお、第２溝部１１４ｂは、第１下ストッパ部１１０ｂと第２下ストッパ部１１２ｂとに隣接している。第２溝部１１４ｂは、第１溝部１１４ａと同一の形状を有している。
【０１０１】
第３延在板１０４は、第２延在板１０２よりも下方に所定距離だけ離間して配置されている。該所定間隔は、入力用端子部２０Ｕの横幅ｄ２よりも大きく設定される。
【０１０２】
第３延在板１０４の上面のうち矢印Ｂ１方向の端部には、第１下ストッパ部１１０ｂと対向し、且つ、第１上ストッパ部１１６ａと同一の形状に構成された第１上ストッパ部１１６ｂと、該第１上ストッパ部１１６ｂよりも矢印Ｃ２方向に離間して位置すると共に第２下ストッパ部１１２ｂと対向して配置され、且つ、第２上ストッパ部１１８ａと同一の形状に構成された第２上ストッパ部１１８ｂとが形成されている。
【０１０３】
第２延在板１０２の下面と第３延在板１０４の上面は、第２基部９６の第２外端面９６ａで終端する。その結果、第２延在板１０２の下面、第３延在板１０４の上面、及び、第２外端面９６ａによって、第２収納溝１２０ｂが形成される。そして、この第２収納溝１２０ｂには、入力用端末部２０Ｕが収納されることとなる。
【０１０４】
第２収納溝１２０ｂの溝幅（第２延在板１０２の下面のうち第２溝部１１４ｂよりも矢印Ｂ２方向に位置する部位と第３延在板１０４の上面との間隔）は、第１収納溝１２０ａの溝幅Ｌ５と同一に設定されている。第２収納溝１２０ｂの溝深さ（第１下ストッパ部１１０ｂの矢印Ｂ２方向の端面から第２外端面１２０ａまでの距離）Ｌ８は、第１配線部５２の第２収納溝８６ｂの溝深さＬ４と同一に設定されている。
【０１０５】
なお、第１下ストッパ部１１０ｂと第１上ストッパ部１１６ｂとの間隔、及び、第２下ストッパ部１１２ｂと第２上ストッパ部１１８ｂとの間隔は、前記間隔Ｌ７と同一に設定されている。
【０１０６】
第３延在板１０４の下面のうち矢印Ｂ１方向の端部には、第１上ストッパ部１１６ｂの反対側に位置し、且つ、第１下ストッパ部１１０ａと同一の形状に構成された第１下ストッパ部１１０ｃと、該第１下ストッパ部１１０ｃよりも矢印Ｃ２方向に離間して位置すると共に第２上ストッパ部１１８ｂの反対側に位置し、且つ、第２下ストッパ部１１２ａと同一の形状に構成された第２下ストッパ部１１２ｃとが形成されている。
【０１０７】
第３延在板１０４の下面には、矢印Ｃ方向に沿って第３延在板１０４を横切るようにして第３溝部１１４ｃが形成されている。なお、第３溝部１１４ｃは、第１下ストッパ部１１０ｃと第２下ストッパ部１１２ｃとに隣接している。第３溝部１１４ｃは、第１溝部１１４ａと同一の形状を有している。
【０１０８】
第４延在板１０６は、第３延在板１０４よりも下方に所定距離だけ離間して位置している。該所定距離は、第２延在板１０２と第３延在板１０４との離間間隔と同一の距離に設定されている。
【０１０９】
第４延在板１０６の上面のうち矢印Ｂ１方向の端部には、第１下ストッパ部１１０ｃと対向し、且つ、第１上ストッパ部１１６ａと同一の形状に構成された第１上ストッパ部１１６ｃと、該第１上ストッパ部１１６ｃよりも矢印Ｃ２方向に離間して位置すると共に第２下ストッパ部１１２ｃと対向して配置され、且つ、第２上ストッパ部１１８ａと同一の形状に構成された第２上ストッパ部１１８ｃとが形成されている。
【０１１０】
第３延在板１０６の下面と第４延在板１０８の上面は、第２基部９６の第２外端面９６ａで終端する。その結果、第３延在板１０４の下面、第４延在板１０６の上面、及び、第２外端面９６ａによって、第３収納溝１２０ｃが形成される。そして、この第３収納溝１２０ｃには、入力用端末部２０Ｖが収納されることとなる。
【０１１１】
第３収納溝１２０ｃの溝幅（第３延在板１０４の下面のうち第３溝部１１４ｃよりも矢印Ｂ２方向に位置する部位と第４延在板１０６の上面との間隔）は、第１収納溝１２０ａの溝幅Ｌ５と同一に設定されている。第３収納溝１２０ｃの溝深さ（第１下ストッパ部１１０ｃの矢印Ｂ２方向の端面から第２外端面９６ａまでの距離）は、第２収納溝１２０ｂの溝深さＬ８と同一に設定されている。なお、第１下ストッパ部１１０ｃと第１上ストッパ部１１６ｃとの間隔、及び、第２下ストッパ部１１２ｃと第２上ストッパ部１１８ｃとの間隔は、前記間隔Ｌ７と同一に設定されている。
【０１１２】
第４延在板１０６の下面のうち矢印Ｂ１方向の端部には、第１上ストッパ部１１６ｃの反対側に位置し、且つ、第１下ストッパ部１１０ａと同一の形状に構成された第１下ストッパ部１１０ｄと、該第１下ストッパ部１１０ｄよりも矢印Ｃ２方向に離間して位置すると共に第２上ストッパ部１１８ｃの反対側に位置し、且つ、第２下ストッパ部１１２ａと同一の形状に構成された第２下ストッパ部１１２ｄとが形成されている。
【０１１３】
第４延在板１０６の下面には、矢印Ｃ方向に沿って第４延在板１０６を横切るようにして第４溝部１１４ｄが形成されている。なお、第４溝部１１４ｄは、第１下ストッパ部１１０ｄと第２下ストッパ部１１２ｄとに隣接している。第４溝部１１４ｄは、第１溝部１１４ａと同一の形状を有している。
【０１１４】
第５延在板１０８は、第２基部９６の下端部に接続されている。なお、第４延在板１０６と第５延在板１０８との離間間隔は、第３延在板１０４と第４延在板１０６との離間間隔と同一に設定されている。
【０１１５】
第５延在板１０８の上面のうち矢印Ｂ１方向の端部には、第１下ストッパ部１１０ｄと対向し、且つ、第１上ストッパ部１１６ａと同一の形状に構成された第１上ストッパ部１１６ｄと、該第１上ストッパ部１１６ｄよりも矢印Ｃ２方向に離間して位置すると共に第２下ストッパ部１１２ｄに対向して配置され、且つ、第２上ストッパ部１１８ａと同一の形状に構成された第２上ストッパ部１１８ｄとが形成されている。
【０１１６】
第４延在板１０６の下面と第５延在板１０８の上面は、第２基部９６の第２外端面９６ａで終端する。その結果、第４延在板１０６の下面、第５延在板１０８の上面、及び、第２外端面９６ａによって、第４収納溝１２０ｄが形成される。そして、この第４収納溝１２０ｄには、入力用端末部２０Ｗが収納されることとなる。
【０１１７】
第４収納溝１２０ｄの溝幅（第４延在板１０６の下面のうち第４溝部１１４ｄよりも矢印Ｂ２方向に位置する部位と第５延在板１０８の上面との間隔）は、第１収納溝１２０ａの溝幅Ｌ５と同一に設定されている。第４収納溝１２０ｄの溝深さ（第１下ストッパ部１１０ｄの矢印Ｂ２方向の端面から第２外端面９６ａまでの距離）は、第２収納溝１２０ｂの溝深さＬ８と同一に設定されている。なお、第１下ストッパ部１１０ｄと第１上ストッパ部１１６ｄとの間隔、及び、第２下ストッパ部１１２ｄと第２上ストッパ部１１８ｄとの間隔は、前記間隔Ｌ７と同一に設定されている。
【０１１８】
図２から諒解されるように、分割コア部１４のコイル１８は、コイル素線１８ａをインシュレータ２６の巻回部３８に巻回することにより形成される。つまり、図８に示すように、コイル１８は、中性点用端末部３０の一部を側溝９２に配置した状態で、コイル素線１８ａを巻回部３８に巻回することにより形成される。
【０１１９】
これにより、コイル素線１８ａの巻回作業中に、中性点用端末部３０が邪魔になることを防止することができる。なお、コイル素線１８ａの巻回作業は、インシュレータ２６を固定した状態で巻回部３８にコイル素線１８ａを巻きつけてもよいし、インシュレータ２６を図示しない回転治具によって回転させながらコイル素線１８ａを巻回部３８に巻きつけてもよい。
【０１２０】
また、コイル素線１８ａの巻回作業が終了すると、中性点用端末部３０及び入力用端末部２０は、巻回部３８よりも矢印Ｂ１方向に位置することとなる。そのため、次工程において、中性点用端末部３０を第１収納溝８６ａ、１２０ａに容易に導くことができると共に、入力用端末部２０を第２〜第４収納溝８６ｂ〜８６ｄ、１２０ｂ〜１２０ｄに容易に導くことができる。
【０１２１】
次に、上述した複数の分割コア部１４の組み立て手順について説明する。
【０１２２】
先ず、図９及び図１０に示すように、９個の分割コア部１４において、側溝９２に配置されている中性点用端末部３０を、第１配線部５２と第２配線部５４との間の隙間５６を介して第１配線部５２の第１案内面５８ｃ及び第１湾曲面５８ｂを滑らせながら第１収納溝８６ａに導くと共に、前記第１収納溝８６ａに導かれた中性点用端末部３０を、第１下ストッパ部７６ａ及び第２下ストッパ部７８ａの間と、第１上ストッパ部８２ａ及び第２上ストッパ部８４ａの間とを介してインシュレータ２６の外方に配置する。
【０１２３】
また、前記９個の分割コア部１４のうち、３つの（Ｕ１相〜Ｕ３相のコイル１８を有する）分割コア部１４において、入力用端末部２０Ｕを、前記隙間５６を介して第２案内面６０ｃ及び第２湾曲面６０ｂに対して滑らせながら第２収納溝８６ｂに導くと共に、前記第２収納溝８６ｂに導かれた入力用端末部２０Ｕを、第１下ストッパ部７６ｂ及び第２下ストッパ部７８ｂの間と、第１上ストッパ部８２ｂ及び第２上ストッパ部８４ｂの間とを介してインシュレータ２６の外方に配置する。
【０１２４】
さらに、詳細な図示は省略するが、前記９個の分割コア部１４のうち、３つの（Ｖ１相〜Ｖ３相のコイル１８を有する）分割コア部１４において、入力用端末部２０Ｖを、前記隙間５６を介して第２案内面６０ｃ及び第２湾曲面６０ｂに対して滑らせながら第３収納溝８６ｃに導くと共に、前記第３収納溝８６ｃに導かれた入力用端末部２０Ｖを、第１下ストッパ部７６ｃ及び第２下ストッパ部７８ｃの間と、第１上ストッパ部８２ｃ及び第２上ストッパ部８４ｃの間とを介してインシュレータ２６の外方に配置する。
【０１２５】
前記９個の分割コア部１４のうち、３つの（Ｗ１相、Ｗ２相、Ｗ６相のコイル１８を有する）分割コア部１４において、入力用端末部２０Ｗを、前記隙間５６を介して第２案内面６０ｃ及び第２湾曲面６０ｂに対して滑らせながら第４収納溝８６ｄに導くと共に、前記第４収納溝８６ｄに導かれた入力用端末部２０Ｗを、第１下ストッパ部７６ｄ及び第２下ストッパ部７８ｄの間と、第１上ストッパ部８２ｄ及び第２上ストッパ部８４ｄの間とを介してインシュレータ２６の外方に配置する。
【０１２６】
また、前記９個の分割コア部１４とは別の９個の分割コア部１４において、側溝９２に配置されている中性点用端末部３０を、第１配線部５２と第２配線部５４との間の隙間５６を介して第２配線部５４の第１案内面９４ｂを滑らせながら第１収納溝１２０ａに導くと共に、前記第１収納溝１２０ａに導かれた中性点用端末部３０を、第１下ストッパ部１１０ａ及び第２下ストッパ部１１２ａの間と、第１上ストッパ部１１６ｂ及び第２上ストッパ部１１８ａの間とを介してインシュレータ２６の外方に配置する。
【０１２７】
そして、該別の９個の分割コア部１４のうち、３つの（Ｕ４相〜Ｕ６相のコイル１８を有する）分割コア部１４において、入力用端末部２０Ｕを、前記隙間５６を介して第２案内面９６ｂに対して滑らせながら第２収納溝１２０ｂに導くと共に、前記第２収納溝１２０ｂに導かれた入力用端末部２０Ｕを、第１下ストッパ部１１０ｂ及び第２下ストッパ部１１２ｂの間と、第１上ストッパ部１１６ｂ及び第２上ストッパ部１１８ｂの間とを介してインシュレータ２６の外方に配置する。
【０１２８】
該別の９個の分割コア部１４のうち、３つの（Ｖ４相〜Ｖ６相のコイル１８を有する）分割コア部１４において、入力用端末部２０Ｖを、前記隙間５６を介して第２案内面９６ｂに対して滑らせながら第３収納溝１２０ｃに導くと共に、前記第３収納溝１２０ｃに導かれた入力用端末部２０Ｖを、第１下ストッパ部１１０ｃ及び第２下ストッパ部１１２ｃの間と、第１上ストッパ部１１６ｃ及び第２上ストッパ部１１８ｃの間とを介してインシュレータ２６の外方に配置する。
【０１２９】
該別の９個の分割コア部１４のうち、３つの（Ｗ３相〜Ｗ５相のコイル１８を有する）分割コア部１４において、入力用端末部２０Ｗを、前記隙間５６を介して第２案内面９６ｂに対して滑らせながら第４収納溝１２０ｄに導くと共に、前記第４収納溝１２０ｄに導かれた入力用端末部２０Ｗを、第１下ストッパ部１１０ｄ及び第２下ストッパ部１１２ｄの間と、第１上ストッパ部１１６ｄ及び第２上ストッパ部１１８ｄの間とを介してインシュレータ２６の外方に配置する。
【０１３０】
その後、図１１に示すように、先ず、Ｕ１相のコイル１８を有する分割コア部１４をホルダ１２の内周面１２ａに沿って配置する。続いて、Ｖ１相のコイル１８を有する分割コア部１４を上方からＵ１相のコイル１８を有する分割コア部１４の左側に降下して、Ｖ１相のコイル１８を有する分割コア部１４のヨーク部２４ａの嵌合凸部３４をＵ１相のコイル１８を有する分割コア部１４の第２配線部５４の凹部９８を介してヨーク部２４ａの嵌合凹部３２に挿入する。これにより、Ｕ１相のコイル１８を有する分割コア部１４に対してＶ１相のコイル１８を有する分割コア部１４が位置決めされる。
【０１３１】
このとき、上述したように、中性点用端末部３０と入力用端末部２０Ｖは、インシュレータ２６の外方に配置されているので、該中性点用端末部３０と該入力用端末部２０ＶがＵ１相のコイル１８を有する分割コア部１４と干渉することを好適に防止することができる。
【０１３２】
なお、中性点用端末部３０は、第１下ストッパ部７６ａ及び第２下ストッパ部７８ａの間と第１上ストッパ部８２ａ及び第２上ストッパ部８４ａの間とに挿通され、入力用端末部２０Ｖは、第１下ストッパ部７６ｃ及び第２下ストッパ部７８ｃの間と第１上ストッパ部８２ｃ及び第２上ストッパ部８４ｃの間とに挿通されているので、Ｖ１相のコイル１８を有する分割コア部１４を配置する際に、中性点用端末部３０及び入力用端末部２０Ｖが矢印Ｃ方向に振れることは殆どない。
【０１３３】
続いて、Ｖ１相のコイル１８を有する分割コア部１４を配置したときと同じ要領で、Ｗ１相のコイル１８を有する分割コア部１４をＶ１相のコイル１８を有する分割コア部１４の左側に配置する。これにより、Ｕ１相のコイル１８、Ｖ１相のコイル１８、Ｗ１相のコイル１８が反時計回りに並んで配置されることとなる。
【０１３４】
そして、このような動作を６回繰り返すことにより、１８個の分割コア部１４を環状に配置する。このようにして配置された複数の分割コア部１４のコイル１８は、図１に示すように、反時計回りにＵ１相、Ｖ１相、Ｗ１相、Ｕ２相、Ｖ２相、Ｗ２相…Ｕ６相、Ｖ６相、Ｗ６相の順番で配列されることとなる。
【０１３５】
続いて、中性点用端末部３０を複数の分割コア部１４の第１収納溝８６ａ、１２０ａに引き回して中性端子Ｎに電気的に接続し、Ｕ相の入力用端末部２０Ｕを複数の分割コア部１４の第２収納溝８６ｂ、１２０ｂに引き回して入力端子Ｕに電気的に接続し、Ｖ相の入力用端末部２０Ｖを複数の分割コア部１４の第３収納溝８２ｃ、１２０ｃに引き回して入力端子Ｖに電気的に接続し、Ｗ相の入力用端末部２０Ｗを複数の分割コア部１４の第４収納溝８６ｄ、１２０ｄに引き回して入力端子Ｗに電気的に接続する。
【０１３６】
また、詳細な図示は省略するが、本実施形態では、Ｕ１相〜Ｕ３相、Ｖ１相〜Ｖ３相、Ｗ１相、Ｗ２相、及び、Ｗ６相のコイル１８の中性点用端末部３０及び入力用端末部２０を反時計回りに引き回し、Ｕ４相〜Ｕ６相、Ｖ４相〜Ｖ６相、及び、Ｗ３相〜Ｗ６相のコイル１８の中性点用端末部３０及び入力用端末部２０を時計回りに引き回している。
【０１３７】
ここで、具体例として、Ｕ１相のコイル１８の中性点用端末部３０及び入力用端末部２０Ｕの引き回し作業について説明する。
【０１３８】
先ず、第１配線部５２の第１延在板６４の矢印Ｂ１方向の端部を上方に押圧して、第１延在板６４のうち第１溝部８０ａが位置する部位（肉薄部）を弾性変形させて第１収納溝８６ａの矢印Ｂ１方向の開口面積を広げる。そして、前記第１収納溝８６ａの開口面積を広げた状態で、中性点用端末部３０を第１下ストッパ部７６ａ及び第１外端面５８ａの間と第１上ストッパ部８２ａ及び第１外端面５８ａの間に挿通する。これにより、中性点用端末部３０が、第１下ストッパ部７６ａ及び第１上ストッパ部８２ａと干渉することを抑えることができる。
【０１３９】
なお、このとき、第１延在板６４を弾性変形させず、第２延在板６６の矢印Ｂ１方向の端部を下方に押圧して、該第２延在板６６のうち第２溝部８０ｂが位置する部位（肉薄部）を弾性変形させることにより、第１収納溝８６ａの矢印Ｂ１方向の開口面積を広げてもよい。さらに、第１延在板６４と第２延在板６６の両方を弾性変形させて、前記開口面積を広げることも可能である。
【０１４０】
続いて、これと同じ要領で、Ｗ６相のコイル１８を有する分割コア部１４の第２配線部５４の第１収納溝１２０ａ、第１配線部５２の第１収納溝８６ａ、及び、Ｖ６相のコイル１８を有する分割コア部１４の第２配線部５４の第１収納溝１２０ａに前記中性点用端末部３０を引き回し、中性端子Ｎに電気的に接続する。
【０１４１】
また、第１配線部５２の第２延在板６６の矢印Ｂ１方向の端部を上方に押圧して、第２延在板６６のうち第２溝部８０ｂが位置する部位（肉薄部）を弾性変形させて第２収納溝８６ｂの矢印Ｂ１方向の開口面積を広げる。そして、前記第２収納溝８６ｂの開口面積を広げた状態で、入力用端末部２０Ｕを第１下ストッパ部７６ｂ及び第２外端面６０ａの間と第１上ストッパ部８２ｂ及び第２外端面６０ａの間に挿通し、入力端子Ｕに電気的に接続する。これにより、入力用端末部２０Ｕが、第１下ストッパ部７６ｂ及び第１上ストッパ部８２ｂと干渉することを抑えることができる。
【０１４２】
以上のように構成されるステータ１０では、図１２に示すように、例えば、Ｖ６相のコイル１８を有する分割コア部１４のうちの第２配線部５４では、第１収納溝１２０ａに９本の中性点用端末部３０が、第２収納溝１２０ｂに３本の入力用端末部２０Ｕが、第３収納溝１２０ｃに３本の入力用端末部２０Ｖが、第４収納溝１２０ｄに３本の入力用端末部２０Ｗがそれぞれ配置されることとなる。
【０１４３】
本実施形態に係る回転電機では、第１配線部５２の矢印Ｂ１方向の外端面に、矢印Ｃ方向に沿って延びる第１〜第４収納溝８６ａ〜８６ｄを形成し、該第１収納溝８６ａの一方の溝側面としての第１延在板６４の下面のうち矢印Ｂ１方向の端部に第１下ストッパ部７６ａを、該第２収納溝８６ｂの一方の溝側面としての第２延在板６６の下面のうち矢印Ｂ１方向の端部に第１下ストッパ部７６ｂを、第３収納溝８６ｃの一方の溝側面としての第３延在板６８の下面のうち矢印Ｂ１方向の端部に第１下ストッパ部７６ｃを、第４収納溝８６ｄの一方の溝側面としての第４延在板７０の下面のうち矢印Ｂ１方向の端部に第１下ストッパ部７６ｄをそれぞれ形成している。
【０１４４】
これにより、例えば、矢印Ｂ１方向に向かうローレンツ力が第１収納溝８６ａに引き回された中性点用端末部３０と第２〜第４収納溝８６ｂ〜８６ｄのそれぞれに引き回された入力用端末部２０とに作用した場合でも、該中性点用端末部３０及び該入力用端末部２０の矢印Ｂ１方向の移動が、第１下ストッパ部７６ａ〜７６ｄによって制限されるため、該中性点用端末部３０及び該入力用端末部２０が第１〜第４収納溝８６ａ〜８６ｄから離脱することを抑えることができる。
【０１４５】
また、本実施形態では、前記第１収納溝８６ａの他方の溝側面としての第２延在板６６の上面のうち矢印Ｂ１方向の端部に前記第１下ストッパ部７６ａと対向する第１上ストッパ部８２ａを形成し、さらに、第１下ストッパ部７６ａ及び第１上ストッパ部８２ａの間隔を中性点用端末部３０の横幅ｄ２よりも狭くしている。
【０１４６】
これにより、前記ローレンツ力によって前記中性点用端末部３０が第１収納溝８６ａから離脱することを確実に抑えることができる。
【０１４７】
さらに、本実施形態では、前記第２収納溝８６ｂの他方の溝側面としての第３延在板６８の上面のうち矢印Ｂ１方向の端部に前記第１下ストッパ部７６ｂと対向する第１上ストッパ部８２ｂを形成し、さらに、第１下ストッパ部７６ｂ及び第１上ストッパ部８２ｂの間隔を入力用端末部２０Ｕの横幅ｄ２よりも狭くしている。
【０１４８】
これにより、前記ローレンツ力によって前記入力用端末部２０Ｕが第２収納溝８６ｂから離脱することを確実に抑えることができる。
【０１４９】
さらにまた、本実施形態では、前記第３収納溝８６ｃの他方の溝側面としての第４延在板７０の上面のうち矢印Ｂ１方向の端部に前記第１下ストッパ部７６ｃと対向する第１上ストッパ部８２ｃを形成し、さらに、第１下ストッパ部７６ｃ及び第１上ストッパ部８２ｃの間隔を入力用端末部２０Ｖの横幅ｄ２よりも狭くしている。
【０１５０】
これにより、前記ローレンツ力によって前記入力用端末部２０Ｖが第３収納溝８６ｃから離脱することを確実に抑えることができる。
【０１５１】
また、本実施形態では、前記第４収納溝８６ｄの他方の溝側面としての第５延在板７２の上面のうち矢印Ｂ１方向の端部に前記第１下ストッパ部７６ｄと対向する第１上ストッパ部８２ｄを形成し、さらに、第１下ストッパ部７６ｄ及び第１上ストッパ部８２ｄの間隔を入力用端末部２０Ｗの横幅ｄ２よりも狭くしている。
【０１５２】
これにより、前記ローレンツ力によって前記入力用端末部２０Ｗが第４収納溝８６ｄから離脱することを確実に抑えることができる。
【０１５３】
本実施形態に係る回転電機は、第１〜第４延在板６４、６６、６８、７０の下面のうち矢印Ｂ１方向の端部に第１下ストッパ部７６ａ〜７６ｄよりも矢印Ｃ２方向に離間して位置する第２下ストッパ部７８ａ〜７８ｄを形成すると共に、第２〜第５延在板６６、６８、７０、７２の上面のうち矢印Ｂ１方向の端部に第１上ストッパ部８２ａ〜８２ｄよりも矢印Ｃ２方向に離間して位置し、且つ、前記第２下ストッパ部７８ａ〜７８ｄに対向する第２上ストッパ部８４ａ〜８４ｄを形成しているので、中性点用端末部３０及び入力用端末部２０が第１〜第４収納溝８６ａ〜８６ｄから離脱することを一層確実に抑えることができる。
【０１５４】
なお、本実施形態に係る回転電機では、第１下ストッパ部１１０ａ〜１１０ｄ、第２下ストッパ部１１２ａ〜１１２ｄ、第１上ストッパ部１１６ａ〜１１６ｄ、及び、第２上ストッパ部１１８ａ〜１１８ｄを第２配線部５４に形成しているので、前記第２配線部５４においても上述した第１配線部５２と同様の効果を得ることができる。つまり、第２配線部５４において、中性点用端末部３０及び入力用端末部２０が第１〜第４収納溝１２０ａ〜１２０ｄから離脱することを抑えることができる。
【０１５５】
本実施形態に係る回転電機においては、中性点用端末部３０を複数の分割コア部１４の第１収納溝８６ａ、１２０ａに、入力用端末部２０Ｕを複数の分割コア部１４の第２収納溝８６ｂ、１２０ｂに、入力用端末部２０Ｖを複数の分割コア部１４の第３収納溝８６ｃ、１２０ｃに、入力用端末部２０Ｗを複数の分割コア部１４の第４収納溝８６ｄ、１２０ｄにそれぞれ引き回しているので、前記中性点用端末部３０、前記入力用端末部２０Ｕ、前記入力用端末部２０Ｖ、及び、前記入力用端末部２０Ｗが互いに接触することがない。そのため、中性点用端末部３０及び入力用端末部２０に対する絶縁処理を省略することができる。
【０１５６】
本実施形態に係る回転電機は、中性点用端末部３０及び入力用端末部２０を第１〜第４収納溝８６ａ〜８６ｄ、１２０ａ〜１２０ｄに引き回す際に、該中性点用端末部３０の一部及び該入力用端末部２０の一部を半円状に曲げる必要がないため、中性点用端末部３０及び入力用端末部２０の引き回し作業が簡素化する。これによって、回転電機の生産効率を向上させることができる。
【０１５７】
上記実施形態において、第１下ストッパ部７６ａ〜７６ｄ、１１０ａ〜１１０ｄ、第２下ストッパ部７８ａ〜７８ｄ、１１２ａ〜１１２ｄ、第１上ストッパ部８２ａ〜８２ｄ、１１６ａ〜１１６ｄ、及び、第２上ストッパ部８４ａ〜８４ｄ、１１８ａ〜１１８ｄの長さ、幅、高さは、それぞれ任意に設定可能である。
【０１５８】
例えば、第１配線部５２において、第２下ストッパ部７８ａの長さを第１延在板６４の矢印Ｃ２方向の端部に達するまで延ばすと共に、第２下ストッパ部７８ｂ〜７８ｄの長さ及び第２上ストッパ部８４ａ〜８４ｄの長さを該第２下ストッパ部７８ａの長さに合わせてもよい。この場合、中性点用端末部３０及び入力用端末部２０が第１〜第４収納溝８６ａ〜８６ｄから一層離脱し難くなる。
【０１５９】
また、例えば、第２配線部５４において、第１下ストッパ部１１０ａの長さを第１延在板１００の矢印Ｃ１方向の端部に達するまで延ばすと共に、第１下ストッパ部１１０ｂ〜１１０ｄの長さ及び第１上ストッパ部１１６ａ〜１１６ｄの長さを該第１下ストッパ部１１０ａの長さに合わせてもよい。この場合、中性点用端末部３０及び入力用端末部２０が第１〜第４収納溝１２０ａ〜１２０ｄから一層離脱し難くなる。
【０１６０】
第１配線部５２は、第２下ストッパ部７８ａ及び第２上ストッパ部８４ａのＣ方向の位置を第２下ストッパ部７８ｂ〜７８ｄ及び第２上ストッパ部８４ｂ〜８４ｄに位置に対応して形成してもよい。
【０１６１】
第１〜第４溝部８０ａ〜８０ｄ、１１４ａ〜１１４ｄの溝深さ、溝幅は、それぞれ任意に設定可能である。また、第１〜第４収納溝８６ａ〜８６ｄ、１２０ａ〜１２０ｄの溝幅は、同一に設定する必要はなく、適宜変更が可能である。
【０１６２】
配線部４０は、第１上ストッパ部８２ａ〜８２ｄ、１１６ａ〜１１６ｄ及び第２上ストッパ部８４ａ〜８４ｄ、１１８ａ〜１１８ｄを省略して構成してもよい。
【０１６３】
第２収納溝８６ｂ、１２０ｂ（第３収納溝８６ｃ、１２０ｃ、第４収納溝８６ｄ、１２０ｄ）に引き回される入力用端末部２０は、Ｕ相、Ｖ相、Ｗ相のいずれの入力用端末部２０であってもよく、要は、各相の入力用端末部２０が異なる収納溝８６ｂ〜８６ｄ、１２０ｂ〜１２０ｄに配置されればよい。
【０１６４】
ステータコア１６は、１８個の分割コア部１４を環状に配置して形成される構成に限定されない。ステータコア１６は、例えば、９個の分割コア部１４を環状に配置して形成してもよい。
【０１６５】
本発明は上記した実施形態に限らず、本発明の要旨を逸脱することなく、種々の構成を採り得ることは当然可能である。
【符号の説明】
【０１６６】
１０…回転電機用ステータ                １２…ホルダ
１４…分割コア部                        １６…ステータコア
１８…コイル                            ２０…入力用端末部
２２…金属板                            ２４…分割鉄心
２６…インシュレータ                    ２８…ボルト（締結部材）
３０…中性点用端末部                    ３６…貫通孔
３８…巻回部                            ５２…第１配線部
５４…第２配線部                        ６２…挿通孔
７６ａ〜７６ｄ、１１０ａ〜１１０ｄ…第１下ストッパ部
７８ａ〜７８ｄ、１１２ａ〜１１２ｄ…第２下ストッパ部
８２ａ〜８２ｄ、１１６ａ〜１１６ｄ…第１上ストッパ部
８４ａ、８４ｄ、１１８ａ〜１１８ｄ…第２上ストッパ部
９２…側溝                              ８６ａ、１２０ａ…第１収納溝
８６ｂ、１２０ｂ…第２収納溝            ８６ｃ、１２０ｃ…第３収納溝
８６ｄ、１２０ｄ…第４収納溝
【図１】
0005612923.tif 000002
【図２】
0005612923.tif 000003
【図３】
0005612923.tif 000004
【図４】
0005612923.tif 000005
【図５】
0005612923.tif 000006
【図６】
0005612923.tif 000007
【図７】
0005612923.tif 000008
【図８】
0005612923.tif 000009
【図９】
0005612923.tif 000010
【図１０】
0005612923.tif 000011
【図１１】
0005612923.tif 000012
【図１２】
0005612923.tif 000013